(57)【要約】【課題】一般に入手可能な、バーコード認識機能を有する携帯端末を有する者であれば、ラリー等の移動競技に参加することが可能となる。【解決手段】予め登録された参加者の識別情報と競技中に参加者から送信されたバーコード情報又は競技の終了時に参加者から提供されたメモリ手段に記憶されたバーコード情報とを照合することによって参加者の特定と参加者が通過したチェックポイントを特定する。【選択図】　図１
2004126921.tif 000002
【特許請求の範囲】
【請求項１】
予め登録された参加者の識別情報と競技中に参加者から送信されたバーコード情報とを照合することによって参加者の特定と参加者が通過したチェックポイントを特定するように構成されている移動競技管理装置。
【請求項２】
請求項１記載の移動競技管理装置において、参加者の識別情報を登録するための参加者識別情報登録部とフィールドに設けられたチェックポイントと該チェックポイントに配置されたバーコードを記憶するためのバーコード情報記憶部と参加者から送信されたバーコード情報に基づいて参加者と参加者が通過したチェックポイントを特定するための判定部とを有する移動競技管理装置。
【請求項３】
予め登録された参加者の識別情報と競技の終了時に参加者から提供されたメモリ手段に記憶されたバーコード情報とを照合することによって参加者の特定と参加者が通過したチェックポイントを特定するように構成されている移動競技管理装置。
【請求項４】
請求項３記載の移動競技管理装置において、参加者の識別情報を登録するための参加者識別情報登録部とフィールドに設けられたチェックポイントと該チェックポイントに配置されたバーコードを記憶するためのバーコード情報記憶部と参加者から提供されたメモリ手段に記憶されたバーコード情報に基づいて参加者と参加者が通過したチェックポイントを特定するための判定部とを有する移動競技管理装置。
【請求項５】
参加者が有するバーコード認識機能と通信機能を有する携帯端末と上記参加者を管理するための管理サーバーとを含み、上記管理サーバーは、予め登録された参加者の識別情報と競技中に参加者から送信されたバーコード情報とを照合することによって参加者の特定と参加者が通過したチェックポイントを特定するように構成されている移動競技管理システム。
【請求項６】
参加者が有するバーコード認識機能とメモリ手段を有する携帯端末と上記参加者を管理するための管理サーバーとを含み、上記管理サーバーは、予め登録された参加者の識別情報と競技の終了時に参加者から提供された上記メモリ手段に記憶されたバーコード情報とを照合することによって参加者の特定と参加者が通過したチェックポイントを特定するように構成されている移動競技管理システム。
【請求項７】
請求項６記載の移動競技管理システムにおいて、上記メモリ手段は着脱可能に構成されていることを特徴とする移動競技管理システム。
【請求項８】
請求項６記載の移動競技管理システムにおいて、上記携帯端末は、上記メモリ手段の残存の記憶容量が一定値より少なくなったとき、予め定められた時刻又は期間毎に、又は、サーバーから指示があったときに、上記メモリ手段に記憶されたバーコード情報を上記サーバーに送信することを特徴とする移動競技管理システム。
【請求項９】
請求項６記載の移動競技管理システムにおいて、上記バーコード認識機能は、カメラ装置によって撮像されたバーコードの画像データより画像処理によってバーコード情報を抽出することを特徴とする移動競技管理システム。
【発明の詳細な説明】
【０００１】
【発明の属する技術分野】
本発明は、オリエンテーリング、ラリー等の移動競技を管理するための移動競技管理システムに関する。
【０００２】
【従来の技術】
オリエンテーリング、ラリー等の移動競技では、競技者が、予め設定されたコースに沿って設置されたチェックポイント又はコントロールポイントを回り、又は、途中に発生するイベントに従って移動し、ゴールに到着するまでの時間を争う。
【０００３】
ここでは、移動競技の例として、ラリーを説明する。ラリーには、スタンプラリー、クイズラリー、ウォークラリー、宝捜しラリー等がある。ラリーを催す側を主催者、ラリーに参加する側を参加者とする。参加者は、まず、ラリーの開始前に、主催者に参加を申し込む。参加者は、ラリーが開始されると、図５に示すように、あるフィールドの中に予め設定された複数のチェックポイントを、予め決められた順番に従って、回る。
【０００４】
ゴールに到着したら、主催者にその旨を報告する。主催者は、参加者が所定のチェックポイントを回ったかを確認し、ゴールに到着するまでの時間を計測して、順位を決める。
【０００５】
一般に、オリエンテーリング、ラリー等の移動競技では、参加者は、チェックポイント又はコントロールポイントを回ったことを証明しなければならない。通常、競技の開始前に、参加者に、確認用の用紙が配付される。チェックポイントに到着したとき、その用紙に、参加者自身又は主催者側スタッフが、スタンプや印鑑を押すことによって、証拠が得られる。
【０００６】
オリエンテーリング、ラリー等の移動競技用の装置又はシステムが提案されている。特開平７−７２２３２号公報には、参加者がオリエンテーリング用ＧＰＳ装置を携帯する方法が記載されている。特開平１０−２６３１３２号公報には、参加者が非接触ＩＣカードを携帯する方法が記載されている。特開２０００−３００７１１には、専用の移動競技ナビゲーション装置を利用する方式が記載されている。
【０００７】
【特許文献１】特開平７−７２２３２号公報
【特許文献２】特開平１０−２６３１３２号公報
【特許文献３】特開２０００−３００７１１号公報
【０００８】
【発明が解決しようとする課題】
特開平７−７２２３２号公報及び特開２０００−３００７１１号公報に記載された方法では、主催者は、オリエンテーリング用ＧＰＳ装置及びナビゲーション装置を参加者の数だけ用意しなければならない。従って、多数が参加する場合には対応できない。特開平１０−２６３１３２号公報に記載された方法では、参加者に非接触ＩＣカードを貸与し、ＩＣカードリーダライタ装置をチェックポイントに設置さなければならない。
【０００９】
本発明は、多数の者が参加するラリーにおいて参加者を管理するシステムを提供することを目的とする。
本発明は、多数の者が参加するラリーにおいて、参加者をリアルタイムにて管理することができるシステムを提供することを目的とする。
【００１０】
【課題を解決するための手段】
本発明によると、移動競技管理装置は、予め登録された参加者の識別情報と競技中に参加者から送信されたバーコード情報とを照合することによって参加者の特定と参加者が通過したチェックポイントを特定する。
【００１１】
本発明によると、移動競技管理装置は、予め登録された参加者の識別情報と競技の終了時に参加者から提供されたメモリ手段に記憶されたバーコード情報とを照合することによって参加者の特定と参加者が通過したチェックポイントを特定する。
【００１２】
本発明によると、移動競技管理システムは、参加者が有するバーコード認識機能と通信機能を有する携帯端末と上記参加者を管理するための管理サーバーとを含み、上記管理サーバーは、予め登録された参加者の識別情報と競技中に参加者から送信されたバーコード情報とを照合することによって参加者の特定と参加者が通過したチェックポイントを特定する。
【００１３】
本発明によると、移動競技管理システムは、参加者が有するバーコード認識機能とメモリ手段を有する携帯端末と上記参加者を管理するための管理サーバーとを含み、上記管理サーバーは、予め登録された参加者の識別情報と競技の終了時に参加者から提供された上記メモリ手段に記憶されたバーコード情報とを照合することによって参加者の特定と参加者が通過したチェックポイントを特定する。
【００１４】
従って、本発明によるとバーコード認識機能を有する携帯端末を有する者であれば、ラリー等の移動競技に参加することができる。
本発明によれば、専用の携帯端末又は専用のチェックポイント確認装置を用いることなく、移動競技を管理することができる。
【００１５】
【発明の実施の形態】
図１及び図２を参照して、本発明の第１の例を説明する。図１に示すように、本例の移動競技管理システムは、参加者が使用する携帯端末１０とサーバー３０を含む。本例では、参加者が使用する携帯端末１０は、バーコード認識機能と通信機能を有する。携帯端末１０は、バーコード認識機能と通信機能を備えたものであればどのような形式のものであってもよく、例えば、バーコード認識機能を有する携帯電話、バーコード認識機能を有する通信機能付き携帯情報端末等であってよい。
【００１６】
サーバー３０は参加者の識別情報を登録するための参加者識別情報登録部３１と各チェックポイントとそこに配置されたバーコードを記憶するためのバーコード情報記憶部３２と参加者から送信されたバーコード情報に基づいて参加者と参加者が通過したチェックポイントを特定するための判定部３３とを有する。
【００１７】
図２を参照して本例の移動競技管理システムを利用してラリーを管理する方法を説明する。ステップＳ１０１にて、参加者は、主催者側のサーバーに参加の申請と登録を行う。登録は参加者識別情報登録部３１によってなされる。例えば、参加者は、使用する携帯端末の電話番号と氏名を主催者のサーバーに登録する。携帯端末の電話番号の代わりに、主催者が付与した識別番号を使用してもよい。このように、主催者のサーバーに登録された参加者に関する情報を、以下に参加者の識別情報と称する。
【００１８】
ステップＳ１０２にて、ラリーが開始される。ステップＳ１０３にて、参加者は、図５に示すように、フィールド中のチェックポイントを所定の順番に従って通過する。
【００１９】
図１は、参加者がチェックポイント１に到着した状態を示す。図示のように、各チェックポイントには、バーコード２が設けられている。バーコード２は、１次元バーコードであってよいが、好ましくは２次元バーコードである。バーコードは紙に印刷されたものであってよいが、ボード、板等に描かれたものであってよい。主催者側のスタッフが、携帯端末の表示部にバーコードを表示してもよい。
【００２０】
参加者は、所有する携帯端末１０のバーコード認識機能を用いてチェックポイントのバーコードを認識する。認識が成功すると、図示のように、携帯端末１０の表示部１０Ａにキーワードが表示される。同時に、参加者は、携帯端末の通信機能を用いてバーコード情報を主催者が管理するサーバー３０に送信する。
尚、参加者は、バーコード情報そのものを送信してもよいが、適当な方法によってバーコード情報を加工又は変換したものを送信してもよい。
【００２１】
主催者は、受信した参加者の識別情報とサーバー３０の参加者識別情報登録部３１に登録されている識別情報を照合することによって、参加者を特定する。更に、受信したバーコード情報とサーバー３０のバーコード情報記憶部３２に記憶されているバーコード情報を照合することによって、チェックポイントを特定する。これらの処理はサーバー３０の判定部３３によって実行される。
【００２２】
ステップＳ１０４にてラリーが終了すると、ステップＳ１０５にて、主催者は、結果を集計し、順位を決定する。順位の決定方法は、ラリーの内容によって異なるが、所定のチェックポイントを通過しているか否か、ゴールに到着するまでの時間等を参考とする。
【００２３】
こうして本例によると、主催者は、参加者から送信されたデータをサーバーによって管理するため、参加者の進捗状況をリアルタイムで把握することができる。更に、主催者は、競技中に参加者とコミュニケーションをはかることができる。
【００２４】
例えば、主催者は、参加者が現在どのチェックポイントを通過したかをリアルタイムにて知ることができる。参加者が誤ったチェックポイントを通過した場合には、誤りであることを即座に参加者に通知することができる。更に、主催者は、参加者に、チェックポイントの残り数等を通知することによって、参加者を元気づけることも可能である。逆に、様々な、警告を発することもできる。
【００２５】
時間制限があるラリーの場合には、主催者は、参加者に対して、残り時間を知らせることが可能である。参加者が必要なチェックポイントを通過したとき、主催者は、参加者に対してラリーの終了を知らせることが可能である。
【００２６】
本例の移動競技管理システムでは、参加者は、一般に入手可能な、バーコード認識機能を有する携帯端末を有するだけで、ラリー等の移動競技に参加することが可能であり、参加者又は主催者が、高価な専用装置又は専用携帯端末を用意する必要がない。
【００２７】
図３を参照して、携帯端末１０の第１の例の構成を説明する。本例の携帯端末１０は、カメラ部１２とバーコード認識部１４と通信処理部１６とＲＦ部１８とを有する。バーコードはカメラ部１２によって撮像され、バーコードの画像データが得られる。画像データはバーコード認識部１４に送られ、画像処理によってバーコード情報が抽出される。バーコード情報は、通信処理部１６にて、サーバーに送付すべきデータに整形され、ＲＦ部１８を介して、サーバーに送られる。カメラ部１２は、ＣＣＤカメラ、ＣＭＯＳセンサー等であってよい。
【００２８】
次に、再び図２を参照して、本発明の第２の例を説明する。本例では、参加者は、バーコード認識機能とメモリ手段を備えた携帯端末を有する。メモリ手段は、好ましくは、カード型、スティック型等の着脱可能なメモリであってよいが、内蔵のメモリであってもよい。
【００２９】
ステップＳ１０１にて、参加者は、まず、主催者側のサーバーに参加の申請と登録を行う。登録は、第１の例と同様であり、携帯端末の電話番号、識別番号等の識別情報を参加者識別情報登録部３１に登録する。本例では、主催者は、着脱可能なメモリ手段を参加者に貸与する。あるいは、参加者が有する着脱可能な又は内蔵のメモリ手段をサーバーに登録してもよい。
【００３０】
ステップＳ１０２にて、ラリーが開始される。ステップＳ１０３にて、参加者は、図５に示すように、フィールド中のチェックポイントを所定の順番に通過する。参加者は、所有する携帯端末のバーコード認識機能を用いてチェックポイントのバーコードを認識する。認識が成功すると、図１の例と同様に、携帯端末の表示部にキーワードが表示される。同時に、携帯端末のメモリ手段にバーコード情報と時刻が記憶される。
【００３１】
ステップＳ１０４にて競技が終了すると、参加者は、主催者に、着脱可能なメモリ手段を返還又は提供し、又は、内蔵のメモリ手段の内容を提示する。主催者は、メモリ手段に記憶されたバーコード情報と時刻に基づいて、参加者がチェックポイントを通過した状況を確認する。ステップＳ１０５にて、主催者は、結果を集計し、順位を決定する。
本例は、メモリ手段を使用するため、通信機能を使用することができない場合にも、主催者は、参加者の管理を行うことができる。
【００３２】
図４を参照して、携帯端末の第２の例の構成を説明する。本例の携帯端末１０は、カメラ部１２とバーコード認識部１４とメモリ制御部２０と着脱可能な又は内蔵のメモリ手段２２とを有する。バーコードはカメラ部１２によって撮像され、バーコードの画像データが得られる。画像データはバーコード認識部１４に送られ、画像処理によってバーコード情報が抽出される。バーコード情報は、メモリ制御部２０にて、メモリ手段２２に記憶可能なデータに整形され、メモリ手段２２に記憶される。
【００３３】
次に、本発明の第３の例を説明する。本例は、上述の第１の例と第２の例を組み合わせたものである。本例では、参加者は、バーコード認識機能と通信機能とメモリ手段を備えた携帯端末を有する。メモリ手段は、好ましくは、着脱可能なメモリであってよいが、内蔵のメモリであってもよい。
【００３４】
ステップＳ１０１にて、参加者は、まず、主催者側のサーバーに参加の申請と登録を行う。登録は、第１の例と同様であり、携帯端末の電話番号、識別番号等の識別情報を登録する。本例では、主催者は、着脱可能なメモリ手段を参加者に貸与する。あるいは、参加者が有する着脱可能な又は内蔵のメモリ手段をサーバーに登録してもよい。
【００３５】
再び図２を参照する。ステップＳ１０２にて、ラリーが開始される。ステップＳ１０３にて、参加者は、図５に示すように、フィールド中のチェックポイントを所定の順番に通過する。参加者は、所有する携帯端末のバーコード認識機能を用いてチェックポイントのバーコードを認識する。認識が成功すると、図１の例と同様に、携帯端末の表示部にキーワードが表示される。同時に、携帯端末のメモリ手段にバーコード情報と時刻が記憶される。
【００３６】
本例では、メモリ手段に記憶されたバーコード情報は、ラリーが行なわれている間、適宜、サーバーに送信される。バーコード情報をサーバーに送信するタイミングは、次の場合がある。
（１）メモリ手段の残存の記憶容量が一定値より少なくなったとき
（２）予め定められた時刻、又は、１時間毎等あらかじめ定められた期間毎に
（３）複数のフィールドで実行されているラリーの場合、所定のフィールドにおけるラリー終了時
（４）ラリーが複数の日程にわたって開催される場合、１日の終了時
（５）サーバーから送信による指示があったとき
【００３７】
ステップＳ１０４にて競技が終了すると、参加者は、主催者に、着脱可能なメモリ手段を返還又は提供し、又は、内蔵のメモリ手段の内容を提示する。主催者は、競技中に受信したバーコード情報に基づいて、参加者がチェックポイントを通過した状況を確認する。勿論、主催者は、競技終了後に返還又は提供されたメモリ手段又は内蔵のメモリ手段に記憶されたバーコード情報と時刻を参考にしてよい。ステップＳ１０５にて、主催者は、結果を集計し、順位を決定する。
【００３８】
以上、本発明の例を説明したが、本発明は上述の例に限定されるものではなく、特許請求の範囲に記載された発明の範囲にて様々な変形が可能であることは当業者に理解されよう。
例えば、移動競技としてラリーを例として説明したが、本発明は、ラリー以外の移動競技にも適用可能である。
【００３９】
【発明の効果】
本発明によれば、一般に入手可能な、バーコード認識機能を有する携帯端末を有する者であれば、競技に参加することが可能であり、参加者又は主催者は高価な専用携帯端末又は装置を用意する必要がない効果がある。
【００４０】
本発明によると、主催者は、参加者の競技の進捗状況をリアルタイムで確認し管理することができる効果がある。
本発明によると、主催者は、競技中に、参加者とコミュニケーションを図ることができる効果がある。
本発明によると、携帯端末の通信機能を利用できない場所でも参加者を管理することができる効果がある。
【図面の簡単な説明】
【図１】本発明の概念図を説明するための説明図である。
【図２】本発明によるラリーの進行を説明するための流れ図である。
【図３】本発明による携帯端末の第１の例の構成を示す図である。
【図４】本発明による携帯端末の第２の例の構成を示す図である。
【図５】移動競技を説明するための概念図である。
【符号の説明】
２…バーコード、１０…携帯端末、１２…カメラ部、１４…バーコード認識部、１６…通信処理部、１８…ＲＦ部、２０…メモリ制御部、２２…メモリ手段、３０…サーバー
【図１】
2004126921.tif 000003
【図２】
2004126921.tif 000004
【図３】
2004126921.tif 000005
【図４】
2004126921.tif 000006
【図５】
2004126921.tif 000007